(57)【特許請求の範囲】
【請求項１】
間隔を隔てて配置されるスタンド間に柵体を着脱自在に架設することで組み立てられるバリケードのスタンドにおいて、
スタンド本体と、
前記柵体を架設するために、前記柵体の端が挿入される穴を有し、その穴に挿入された柵体の端面が穴の中でスタンドに当接可能となっている保持部とを備え、
前記保持部は、前記柵体の端が挿入される有底の筒を有しており、
前記保持部の前記筒は前記スタンド本体の柵体が架設される側の面から突出しており、
前記スタンド本体には、バリケードのスタンドを積み重ねる際に、前記筒の突出している部分を収容するための空間が、スタンド本体の柵体が架設される側の面に形成されていることを特徴とするバリケードのスタンド。
【請求項２】
前記保持部は、前記スタンド本体の柵体が架設される側の面に着脱自在となっていることを特徴とする請求項１に記載のバリケードのスタンド。
【請求項３】
前記保持部は、柵体の端面が前記筒の底に当接可能となっていることを特徴とする請求項１又は２に記載のバリケードのスタンド。
【請求項４】
前記スタンド本体の柵体が架設される側の面と対向する面には、
文字、図形、画像を表示するプレートが着脱可能となっていることを特徴とする請求項１乃至３にいずれかに記載のバリケードのスタンド。
【請求項５】
前記プレートは、スタンド本体の厚さ方向に、前記スタンド本体の柵体が架設される側の面と対向する面から前記スタンド本体の柵体が架設される側の面に向かって窪んだ位置で取り付けることができることを特徴とする請求項４に記載のバリケードのスタンド。
【発明の詳細な説明】
【技術分野】
【０００１】
本発明は、間隔を隔てて配置されるスタンド間に柵体を着脱自在に架設することで組み立てられるバリケードのスタンドに関する。
【背景技術】
【０００２】
従来、道路工事現場等において、立ち入り禁止区域を設定するためにバリケードが設置される。
【０００３】
このようなバリケードとして、特許文献１に記載のバリケードがある。
【０００４】
特許文献１に記載のバリケードは、パイプと、このパイプの両端近傍を、クランプを介して支持固定するスタンドとから構成されている。
【先行技術文献】
【特許文献】
【０００５】
【特許文献１】特開２００８−３１６４７号公報
【発明の概要】
【発明が解決しようとする課題】
【０００６】
特許文献１のバリケードでは、パイプの両端が露出している。バリケードのパイプの軸線方向に速度を有する車両等がバリケードに突入してきた場合、パイプが車両等に突き刺さり、死亡事故等の重大事故が発生するという問題があった。
【０００７】
また、車両等のバリケードへの突入によってバリケードが飛ばされ、露出したパイプの両端によってバリケード近くの通行者及び工事作業者等が重大な怪我する可能性があるという問題もあった。
【０００８】
パイプが露出したまま長期間使用されることによってパイプの端面が荒れ、バリケードの近くを通行する通行者及び工事作業者等が端面に触れることで怪我する可能性もあった。
【０００９】
上記点より本発明は、車両等の突入による柵体の突き刺さり事故を抑制し、通行者及び工事作業者等の安全性を向上させるバリケードのスタンドを提供することを目的とする。
【課題を解決するための手段】
【００１０】
上記課題を解決するため、請求項１のバリケードのスタンドは、間隔を隔てて配置されるスタンド間に柵体を着脱自在に架設することで組み立てられるバリケードのスタンドにおいて、スタンド本体と、前記柵体を架設するために、前記柵体の端が挿入される穴を有し、その穴に挿入された柵体の端面が穴の中でスタンドに当接可能となっている保持部とを備え、前記保持部は、前記柵体の端が挿入される有底の筒を有しており、前記保持部の前記筒部は前記スタンド本体の柵体が架設される側の面から突出しており、前記スタンド本体には、バリケードのスタンドを積み重ねる際に、前記筒の突出している部分を収容するための空間が、スタンド本体の柵体が架設される側の面に形成されている。
【００１１】
請求項１のバリケードのスタンドによれば、前記柵体の端が挿入され、その挿入された柵体の端面がスタンドに当接可能となっている保持部を有するので、柵体及びスタンドのみで、他の部品を追加することなく、柵体の端が露出することがないバリケードを組み立てることができる。
【００１２】
また、スタンド本体に保持部が取り付けられた状態では、前記筒部は前記スタンド本体の柵体が架設される側の面から突出しているにも関わらず、積み重ねられたバリケードのスタンドの高さが１個のスタンド本体の厚さに積み重ねたスタンドの個数を乗じた値となる。これにより、スタンド本体に保持部が取り付けられた状態でも、積み重ねられたバリケードのスタンドの高さを最小限にすることができる。
【００１３】
請求項２のバリケードのスタンドは、請求項１のバリケードのスタンドにおいて、前記保持部は、前記スタンド本体の柵体が架設される側の面に着脱自在となっている。
【００１４】
請求項２のバリケードのスタンドによれば、請求項１のバリケードのスタンドと同様に作用する上に、保持部が前記スタンド本体の柵体が架設される側の面に着脱自在になっていることで、保持部をスタンド本体から分離して保管及び搬送させることができる。これにより、保管場所の省スペース化及び搬送の容易化を実現することができる。また、スタンド本体又は保持部の一方が破損した場合でも、交換することによって他方を引き続き使用できる。さらに保持部とスタンド本体の素材が異なる場合、容易に分別廃棄できるので、環境に優しい。
【００１５】
さらに、保持部を柵体の端に取り付けた状態のまま、スタンド本体から取り外し、複数の柵体の保持部同士を連結することで、他の部品を追加することなく、柵体の延長が可能となる。
【００１６】
請求項３のバリケードのスタンドは、請求項１又は請求項２のバリケードのスタンドにおいて、前記保持部が柵体の端面が前記筒の底に当接可能となっている。
【００１７】
請求項３のバリケードのスタンドによれば、請求項１又は請求項２のバリケードのスタンドと同様に作用する上に、前記保持部は、柵体の端面が前記筒部の底に当接可能となっているので、スタンド本体に直接柵体の端が衝突することがなく、スタンド本体の破損を防止することができる。
【００１８】
請求項４のバリケードのスタンドは、請求項１乃至３のいずれかのバリケードのスタンドにおいて、前記スタンド本体の柵体が架設される側の面と対向する面には、文字、図形、画像を表示するプレートが着脱可能となっている。
【００１９】
請求項４のバリケードのスタンドによれば、請求項１乃至３のいずれかのバリケードのスタンドと同様に作用する上に、スタンド本体に多様なプレートが取り付けることができるので、様々なＰＲ、バリケード設置場所のイメージアップ、情報発信等の多様な目的に対応できる。
【００２０】
請求項５のバリケードのスタンドは、請求項４のバリケードのスタンドにおいて、前記プレートが、スタンド本体の厚さ方向に、前記スタンド本体の柵体が架設される側の面と対向する面から前記スタンド本体の柵体が架設される側の面に向かって窪んだ位置で取り付けることができる。
【００２１】
請求項５のバリケードのスタンドによれば、請求項４のバリケードのスタンドと同様に作用する上に、スタンド表面から窪んだ位置にプレートが取り付けることができるので、プレートの表面の摩耗やプレート表面に貼り付けたシールの剥がれを抑制することができる。
【発明の効果】
【００２２】
請求項１から５のいずれかの発明によれば、車両等の突入による柵体の突き刺さり事故を抑制し、通行者及び工事作業者等の安全性を向上させることができる。
【図面の簡単な説明】
【００２３】
【図１】本発明の一実施形態のスタンドを使用したバリケードの斜視図である。
【図２】本発明の一実施形態のスタンド本体の表面側の平面図であって、保持部及びプレートを取り外した状態を示す。
【図３】本発明の一実施形態のスタンド本体の裏面側の平面図であって、保持部及びプレートを取り外した状態を示す。
【図４】本発明の他の実施形態のスタンドを使用したバリケードの斜視図である。
【図５】本発明の一実施形態のスタンドの積み重ねた状態を示す斜視図である。
【図６】図５の部分断面拡大斜視図である。
【発明を実施するための形態】
【００２４】
本発明の一実施形態であるバリケードのスタンド１について、以下説明する。
【００２５】
スタンド１が使用されるバリケードは、図１に示すように、間隔を隔てて配置される複数のスタンド１の間に２本の柵体２を着脱自在に架設することで組み立てられる。
【００２６】
柵体２は、ＪＩＳ  Ｇ  ３４４４規格に基づく炭素鋼鋼管であって、一般的には直径４８．６ｍｍの断面が円形の単管を使用する。
【００２７】
スタンド１は、スタンド本体３とそのスタンド本体３の柵体２が架設される側の面に着脱自在となっている保持部４とを有する。
【００２８】
スタンド本体３の柵体２が架設される側の面を裏面とし、この裏面と対向する面を表面とする。この裏面及び表面の法線方向を厚さ方向とする。また、スタンド１を立設させた際の重力方向をスタンド１の上下方向としスタンド本体３が地面に接地する側を下とする。以下の説明の中では、この裏表及び上下の表現は、スタンドが積み重ねられている場合でも、立設している場合とみなして使用する。
【００２９】
スタンド本体３は樹脂の一種である高密度ポリエチレンからなる。
【００３０】
スタンド本体３の表面側には、図１及び図２に示すようにプレート５が取り付けられるプレート取り付け面３１が設けられている。プレート取り付け面３１は、スタンド本体３の厚さ方向に表面から裏面に向かって窪んだ面である。
【００３１】
プレート取り付け面３１とこのプレート取り付け面３１の周囲の表面縁部３２との間には段差が存在する。表面縁部３２からは、プレート取り付け面３１に向かって、プレート５を固定するための突起３３が形成されている。プレート５の端部はプレート取り付け面３１と突起３３との間の隙間に空間的に余裕をもって嵌め込まれることによって、容易にプレート５を取り付けることができる。またプレートの表面の摩耗やプレート表面に貼り付けたシールの剥がれを抑制することができる。
【００３２】
スタンド本体３の裏面側には、図１及び図３に示すように、保持部４が取り付けられる保持部取り付け面３４が上下２か所に設けられている。保持部取り付け面３４は、スタンド本体３の厚さ方向に裏面から表面に向かって窪んだ面である。保持部取り付け面３４の周囲の裏面縁部３６と保持部取り付け面３４との間には段差が存在する。
【００３３】
保持部取り付け面３４には、保持部４を保持部取り付け面３４に固定するための、取り付け穴３５が形成されている。この取り付け穴３５は、図２のスタンド表側のプレート取り付け面３１まで貫通している。
【００３４】
プレート取り付け面３１側では、保持部をスタンド本体３固定するためのプレート取り付け面３１側から取り付け穴３５にボルトが挿入される。ボルトの頭がプレート取り付け面３１から突出しないようにするために、取り付け穴３５はプレート取り付け面３１からさらに窪んだ形状となっている。
【００３５】
スタンド本体３の裏面側には、保持部４の一部を収容する空間を形成するための収容窪み３７が設けられている。
【００３６】
スタンド本体３には、図２及び図３に示すようにプレート５をスタンド本体３から取り外した状態では、スタンド本体３の表面から裏面へと貫通する開口部３８，３９が設けられている。プレート５をスタンド本体３から取りつけた状態では、開口部３８，３９が閉塞される。プレート５及びスタンド本体３の開口部３８は、保持部４の一部を収容する空間を形成することとなる。
【００３７】
保持部４は、金属からなる。
【００３８】
保持部４は、図１に示すように、上下２個の筒部４１と１枚の平板部４２とからなる。各筒部４１の一方の端部は平板部４２によって閉鎖されている。従って、保持部４全体としては、柵体２の端が挿入される有底の筒を有することとなる。保持部４の筒部４１に挿入された柵体２の端面は筒の底である平板部４２に当接可能となっている。
【００３９】
保持部４はスタンド１の一部であるので、スタンド１は、柵体２の端が挿入される穴としての筒部４１を有することとなる。その穴である筒部４１に挿入された柵体２の端面は、筒部４１の中でスタンド１の一部である保持部４の平板部４２に当接可能となっている。
【００４０】
筒部４１の側周面にはナット４３が溶接されており、そのナット４３の穴と対応する穴が筒部４１の側周面を貫通している。このナットと螺合するボルトの先端が筒部４１に挿入された柵体２の端を押圧することで、筒部４１から柵体２が抜けにくくすることができる。
【００４１】
平板部４２の各筒部４１の周囲には、保持部取り付け面３４の取り付け穴３５と対応する取り付け孔４４が形成されている。プレート取り付け面３１側から取り付け穴３５に挿入されるボルトやナット等によって、保持部４がスタンド本体３の上下２か所の保持部取り付け面３４に固定されるようになっている。
【００４２】
保持部４がスタンド本体３に固定された状態では、平板部４２の裏面側の表面は裏面から表面に向かって窪んだ面となっている。裏面縁部３６と平板部４２の裏面側の表面との間には段差が存在する。
【００４３】
本発明の別の実施形態としては、図４に示すように、スタンド本体３の裏面側の上下２か所の保持部取り付け面に、それぞれ上の保持部４Ａ、下の保持部４Ｂが取り付けられているスタンド１もある。保持部４Ａ及び４Ｂでは、それぞれの筒部４１，４１の一方の端部が平板部４２，４２によって閉鎖されている。
【００４４】
平板部４２の筒部４１からはみ出した部分には、保持部取り付け面３４の取り付け穴３５と対応する取り付け孔４４が形成されている。プレート取り付け面３１側から取り付け穴３５に挿入されるボルトやナット等によって、上の保持部４Ａ及び下の保持部４Ｂがそれぞれ、スタンド本体３の上下２か所の保持部取り付け面３４，３４に固定されるようになっている。
【００４５】
この別の実施形態のスタンド１でも、前述の実施形態と同様の作用効果を得ることができる。
【００４６】
上の保持部４Ａ、下の保持部４Ｂがスタンド本体３の上下２か所の保持部取り付け面３４，３４にそれぞれ固定されると、筒部４１の一部は、スタンド本体３の裏面である裏面縁部３６から突出することとなる。
【００４７】
以下、上の保持部４Ａ、下の保持部４Ｂが取り付けられた状態での複数のスタンド１の積み重ねについて説明する。尚、図４及び図５では、保持部４の取り付け孔４４を省略してある。
【００４８】
スタンド１は、図４に示すように、一枚ごとに上下を反転させた状態で積み重ねられる。また、裏面同士が当接した２枚のスタンド、表面同士が当接した２枚のスタンドの順で積み重ねられる。
【００４９】
表面同士が当接した２枚のスタンド１は、それぞれの表面縁部３２同士が当接している状態となっている。
【００５０】
裏面同士が当接した２枚のスタンド１は、それぞれの裏面縁部３６同士が当接している状態となっている。
【００５１】
裏面同士が当接した２枚のスタンド１において、図４及び図５に示すように、裏面縁部３６から突出する上の保持部４Ａの筒部４１の一部は、スタンド本体３の裏面側の収容窪み３７によって形成される空間に収容される。また、裏面縁部３６から突出する下の保持部４Ｂの筒部４１の一部は、スタンド本体３の開口部３８によって形成される空間に収容される。
【００５２】
突出する上の保持部４Ａの筒部４１の一部及び下の保持部４Ｂの筒部４１の一部が収容されることで、表面同士が当接した２枚のスタンド１は、それぞれの表面縁部３２同士が当接し、表面同士が当接した２枚のスタンド１は、それぞれの表面縁部３２同士が当接するので、積み重ねられた複数のスタンド１の高さを最小限にすることができる。
【００５３】
上記実施形態では、柵体２が２本である場合について説明したが、これに限定されることなく、柵体が１本又は３本以上であってもよい。
【００５４】
上記実施形態では、柵体２がＪＩＳ  Ｇ  ３４４４規格に基づく炭素鋼鋼管であって、一般的には直径４８．６ｍｍの断面が円形の単管を使用する場合について説明したが、これに限定されることなく、木などの別の素材、別のサイズの直径又は別の形状の断面の柵体であってもよい。
【００５５】
上記実施形態では、スタンド本体３が樹脂の一種である高密度ポリエチレンからなる場合について説明したが、これに限定されることなく、スタンド本体の素材が、木、金属、高密度ポリエチレン以外の樹脂などであってもよい。
【００５６】
上記実施形態では、保持部４は、金属からなる場合について説明したが、これに限定されることなく、保持部の素材が、金属以外の材料であってもよい。
【００５７】
上記実施形態では、スタンド本体３の裏面側に収容窪み３７が設けられている場合について説明したが、これに限定されることなく、スタンド本体の表面側に収容窪みが設けられていてもよい。
【００５８】
上記実施形態では、保持部４が有底である場合について説明したが、これに限定されることなく、柵体の端面がスタンド本体に当接可能であってもよい。
【００５９】
上記実施形態では、スタンド本体３に保持部４が着脱可能となっている場合について説明したが、これに限定されることなく、スタンド本体及び保持部が一体となっているスタンドであってもよい。
【００６０】
また、スタンド本体３の表面縁部３２及び裏面縁部３６に、積み重ねられたスタンド本体がずれないように嵌合する凹凸が設けられていてもよい。保持部をスタンド本体から取り外して、複数のスタンド本体を積み重ねる際に、スタンド本体を安定して積み重ねることができる。
【００６１】
さらに、スタンド本体３の表面縁部３２及び裏面縁部３６に、光反射材を張り付けるための凹部を形成してもよい。特にスタンド本体３のプレート取り付け面３１ではない表面縁部３２に光反射材を張り付けることで、プレート５の有無に関係なくスタンド１の夜間の視認性が向上する。表面縁部３２の光反射材が張り付けられていることで、プレート５が光反射材に触れることなく、プレート５の取り付け及び取り外しが可能なので、光反射材が摩耗や剥がれといった破損を抑制することができる。
【符号の説明】
【００６２】
１                  スタンド
２                  柵体
３                  スタンド本体
４，４Ａ，４Ｂ      保持部
５                  プレート
３１                プレート取り付け面
３２                表面縁部
３３                突起
３４                保持部取り付け面
３５                取り付け穴
３６                裏面縁部
３７                収容窪み
３８，３９          開口部
４１，６１          筒部
４２，６２          平板部
４３                ナット
４４                取り付け孔
【図１】
0006584789.tif 000002
【図２】
0006584789.tif 000003
【図３】
0006584789.tif 000004
【図４】
0006584789.tif 000005
【図５】
0006584789.tif 000006
【図６】
0006584789.tif 000007